(57)【要約】      （修正有）【課題】モバイル放送受信装置などの携帯型電子機器において、機能の選択をできるだけ少ない労力で行なえるようにする。【解決手段】機能を階層的な構造を有する選択肢により選択ができるようにしておき、それぞれの選択肢が選択された場合に下の階層の選択肢の数をほぼ同数となるようにした。例えば、モバイル放送の場合は、音声メディアには５５チャンネルあり、映像メディアには９チャンネルあり、データメディアには１０チャンネルあるので、音声メディアを６つのグループに分割して、各グループに９チャンネルから１０チャンネルを割り当てることにする。【選択図】  図３
2006048576.tif 000002
【特許請求の範囲】
【請求項１】
階層的な属性構造を有する選択肢を選択するための携帯型電子機器用選択装置であって、
複数の階層にわたる選択肢に対してワンアクションで選択を実行するワンアクション選択実行部を有し、
前記ワンアクション選択実行部にて選択対象となる選択肢のさらに下の階層の選択肢がほぼ同数となるように構成した携帯型電子機器用選択装置。
【請求項２】
階層的な属性構造を有する選択肢アイコン表示情報を保持する選択肢アイコン表示情報保持部と、
インターフェース上に表示されているいずれの選択肢アイコンを選択した場合でも、選択に応じて表示されるべき下の階層に位置する選択肢アイコンの数どうしが、ほぼ同数となるように上の階層の選択肢アイコン表示情報を取得可能な選択肢アイコン表示情報取得部と、
前記選択肢アイコン表示情報取得部で取得した選択肢アイコン表示情報を利用して選択肢アイコンをインターフェース上に表示する選択肢アイコン表示部と、
前記選択肢アイコン表示部にて表示された選択肢アイコンを選択し実行するための選択実行部と、
を有する携帯型電子機器用選択装置。
【請求項３】
前記階層的な属性構造は、上の層が電子機器により出力するメディアの種類であり、その下の層が前記選択されたメディアにおけるチャンネルの種類である請求項１又は２に記載の携帯型電子機器用選択装置。
【請求項４】
前記選択肢アイコン情報保持部に保持されている選択肢アイコン表示情報を追加又は／及び削除することが可能な選択肢アイコン表示情報管理部をさらに有する請求項２に記載の携帯型電子機器用選択装置。
【請求項５】
請求項１から４のいずれか一に記載の携帯型電子機器用選択装置を備えた携帯型電子機器。
【請求項６】
携帯型電子機器において階層的な属性構造を有する選択肢を選択するための携帯型電子機器用選択方法であって、
複数の階層にわたる選択肢に対してワンアクションで選択を実行するワンアクション選択実行ステップを含み、
前記ワンアクション選択実行ステップにて選択対象となる選択肢のさらに下の階層の選択肢がほぼ同数となる携帯型電子機器用選択方法。
【発明の詳細な説明】
【技術分野】
【０００１】
本発明は、携帯型電子機器の選択可能な機能についての階層的な属性構造を有する選択肢を選択するための携帯型電子機器用選択装置に関する。特に、いわゆるモバイル放送の選局のためのチャンネルなどの選択に好適な携帯型電子機器用選択装置に関する。
【背景技術】
【０００２】
携帯電話、ＰＤＡ（Ｐｅｒｓｏｎａｌ  Ｄｉｇｉｔａｌ  Ａｓｓｉｓｔａｎｃｅ）などの携帯型電子機器においては、その大きさから配置できる操作ボタンなどの数の制限がある。このため、機能などの選択のためには、階層構造を有するメニューが用いられている。例えば、携帯電話などの有する全ての機能を属性の似たグループに分類を行なっておき、そのグループの間での選択をまず行い、選択をされたグループ内の機能の選択を次に行なうようになっている。ここでは、２段階の階層構造を有するメニューについて説明したが、３段階、４段階などの階層構造を有している場合もある。
【０００３】
ところで、モバイル放送のサービス提供が予定されている（例えば、非特許文献１参照。）このモバイル放送においては、携帯型の受信機を用いて多チャンネルからなる放送の選局を行なうようになっている（例えば、特許文献１参照。）本件出願の段階においては、モバイル放送の本サービスは提供されていないが、モバイル放送に近似した衛星デジタル放送であるＢＳ１１０度ＣＳデジタル放送を受信できる受信装置においては、「放送切替ボタン」にて「ＢＳデジタル放送」または「１１０度ＣＳデジタル放送」を選択し、それぞれの放送が提供しているテレビ、ラジオ、データのメディアの種類を選択し、所望のチャンネルを選局することになる。チャンネル数が多いＢＳデジタル放送であっても、例えばラジオでは、９チャンネルの選局を行なえばよい。
【非特許文献１】"ＩＴｍｅｄｉａ  ライフスタイル：「モバイル放送」を追いかけた２５００キロ―Ｓバンドを求めて西へ（１／４）"，［ｏｎｌｉｎｅ］，２００４．６．１５、有限会社ネットビジョン ，［検索日：２００４．７．２８］，インターネット<http://www.itmedia.co.jp/lifestyle/articles/0406/15/news016.html>
【特許文献１】特開２００１−１６０９２９号公報
【発明の開示】
【発明が解決しようとする課題】
【０００４】
しかしながら、従来においては、機能のグループへの分類については、人にとって理解しやすいように配慮することが行なわれていたが、携帯型電子機器の操作性の観点からは検討が行なわれていることは無かった。すなわち、操作ボタンを押す回数を少なくするように機能を分類することは行われていなかった。
【０００５】
このため、映像メディアで９チャンネル、音声メディアで５５チャンネル、データメディアで１０チャンネルを有するモバイル放送へ従来の技術を適用した場合には、まず、映像、音声、データのメディアを選択した後、それぞれのチャンネルの選択を行なうことになるが、音声のメディアを選択した後には、５５チャンネルの中から選択を行なう必要がある。このため、操作ボタンの配置できる数に制限を有する携帯型電子機器においいては、チャンネルを切替るためのボタンの押下の回数が著しく多なり、結果として音声チャンネルの選択に多大な労力が伴なう。
【０００６】
例えば、図１２においては、トグルボタン１２０１により映像メディア、音声メディア、データメディアの切替が可能な携帯型電子機器１２００が例示されている。携帯型電子機器１２００では、メディアの切替の後、押しボタン１２０２、１２０３によりメディアのチャンネルを切り替えることとなる。すなわち、押しボタン１２０２を押下するとチャンネル番号が１大きくなり、押しボタン１２０３を押下するとチャンネル番号が１小さくなるようになっている。もし、音声メディアが選択された場合には、押しボタン１２０２、１２０３を極めて多くの回数（平均２７回から２８回）押下する必要が生じ、必要とするチャンネルがすばやく選択できない。同様に図１３において、映像メディア、音声メディア、データメディアの切替をダイレクトに、押しボタン１３０１、１３０２、１３０３で選択できるようにした携帯型電子機器１３００が例示されているが、音声メディアを選択した場合には、押しボタン１３０４、１３０５で極めて多くの回数押下する必要が生じることは、携帯型電子機器１２００と同様である。
【０００７】
そこで、本発明は、携帯型電子機器の機能の選択において、操作ボタンの押下などの回数を少なくするための携帯型電子機器用選択装置を提供することを目的とする。
【課題を解決するための手段】
【０００８】
かかる目的を達成するために、本発明においては、階層的な構造を有する選択肢を選択する場合において、複数の選択にわたる選択肢の選択において、選択肢のさらに下の階層の選択肢がほぼ同数となるように構成した携帯型電子機器用選択装置を提供する。
【０００９】
例えば、上述のモバイル放送の場合には、音声の５５チャンネルを６のグループに分割して、それぞれのグループに属するチャンネルの数を９または１０とする。そして、音声メディアを、音声１、音声２、音声３、音声４、音声５、音声６に分割し、映像とデータなどのメディアのレベルで選択可能とする。これにより、メディアの選択の後に選択可能となるチャンネルの数が、どのメディアの選択後も９又は１０となり、操作ボタンの押下などの回数を少なくすることができる（平均４回から５回押下することとなる）。
【発明の効果】
【００１０】
以上述べたように、本発明によれば、操作ボタンの配置の数に制限のある携帯型電子機器であっても、チャンネル選択などの機能の選択についての労力を少なくすることができる。
【発明を実施するための最良の形態】
【００１１】
以下、本発明を実施するための形態について、図を用いて実施形態として説明する。なお、本発明は、これら実施の形態に何ら限定されるものではなく、その要旨を逸脱しない範囲において、種々なる態様で実施し得る。
【００１２】
（実施形態１：主に請求項１、３、５、６に対応する）
本発明の実施形態１として、階層的な構造を有する選択肢を選択するための装置であって、ワンアクションで選択の対象となる下の階層の選択肢がほぼ同数となるように構成した携帯型電子機器用選択装置について説明する。
【００１３】
（実施形態１：構成）
本実施形態に係る携帯型電子機器用選択装置は、階層的な属性構造を有する選択肢を選択するための装置である。「階層的な属性構造を有する」とは、選択することができる肢である選択肢について、上位の肢と下位の肢のいずれか一方又は両方が定義されており、肢全体が木構造を構成していることを意味する。なお、「上位の選択肢」、「下位の選択肢」の代わりに、「上の選択肢」、「下の選択肢」と書くことがある。
【００１４】
図１は、階層的な属性構造を有する選択肢が構成する木構造を例示する。図１において、円が選択肢を表わしており、上位の選択肢が定義されていない選択肢が第１階層を構成している。第１階層の選択肢の下位の選択肢が第２階層を構成しており、第２階層の選択肢の下位の選択肢が第３階層を構成している。一般には、下位の選択肢が定義されている肢は、その下位の選択肢を示すアイコンなどを表示するなどして選択可能とする機能を有しており、下位の選択肢が定義されていない肢は、携帯型電子機器の機能に対応している。なお、それぞれの階層の選択肢を選択する方法は、同じであってもよいし、異なっていてもよい。例えば、第１階層に属する選択肢は、ロータリーエンコーダスイッチで選択され、第２階層に属する選択肢は、押しボタンを所定の回数押下することにより選択されるようになっていてもよい。「ロータリーエンコーダスイッチ」とは、回転されることに応じて、パルス波形を発生するスイッチであり、発生したパルス波形の変化をカウントすることにより、どの程度回転させられたかが検知可能となっている。なお、発生するパルス波形を複数とし、位相を例えば９０度ずらすことにより、どの方向に回転させられたかを検知することが可能となっていてもよい。
【００１５】
図２は、本実施形態に係る携帯型電子機器用選択装置の機能ブロック図を例示する。携帯型電子機器用選択装置２００は、ワンアクション選択実行部２０１を有する。
【００１６】
「ワンアクション選択実行部」２０１とは、複数の階層にわたる選択肢に対してワンアクションで選択を実行する。ここでの「複数の階層にわたる選択肢」とは、下位の階層の選択肢が定義されている選択肢を意味する。また、「ワンアクション」とは、常識的に考えて一回の人間の操作を意味する。例えば、「所定の時間、回数又は角度だけまわす」、「所定の時間または回数だけ押す」、「所定の時間または回数だけ引く」などの動作である。ワンアクション選択実行部２０１は、例えば、第１階層に属する選択肢を選択可能に表示し、いずれかの選択肢を選択することにより、その選択された選択肢の下位の選択肢を選択可能とする。なお、本実施形態においては、ワンアクション選択実行部２０１にて選択対象となる選択肢のさらに下の階層の選択肢がほぼ同数となるように構成されている。例えば、第１階層にＡとＢとの選択肢があった場合、Ａの下位の選択肢の数とＢの下位の選択肢の数とがほぼ同数となっている。「ほぼ同数」とは、１から３程度の違いを許容して同じ数となることを意味する。例えば、９と１０と、あるいは８と１０とはほぼ同数である。
【００１７】
（実施形態１：モバイル放送の選局への応用）
図３は、本実施形態をモバイル放送の選局に適用した場合の選択肢が構成する木構造を例示している。第１階層には、「映像」、「音声１」、「音声２」、「音声３」、「音声４」、「音声５」、「音声６」、「データ」の選択肢があり、それぞれの選択肢の下位の選択肢として、９チャンネルあるいは１０チャンネルの数のチャンネルを選択する選択肢が設定されている。例えば、「音声１」を選択した場合、１チャンネルから９チャンネルまでが選択可能となり、「音声２」を選択した場合、１０チャンネルから１８チャンネルが選択可能となり、「音声３」を選択した場合、１９チャンネルから２７チャンネルが選択可能となり、「音声４」を選択した場合、２８チャネルから３６チャンネルが選択可能となり、「音声５」を選択した場合、３７チャンネルから４５チャンネルが選択可能となり、「音声６」を選択した場合、４６チャンネルから５５チャンネルが選択可能となる。このような選択肢の構造とすることにより、映像として９チャンネル、音声として合計５５チャンネル、データとして１０チャンネルが選択可能となる。また、「映像」、「音声１」、「音声２」、「音声３」、「音声４」、「音声５」、「音声６」、「データ」の各選択肢を選択した後に選択するべきチャンネルの数は９または１０となるので、操作ボタンの少ない携帯型の受信装置であっても、すばやく所望のチャンネルを選択することが可能となる。
【００１８】
なお、「音声１」、「音声２」、「音声３」、「音声４」、「音声５」、「音声６」で選択可能となるチャンネルに共通のチャンネルが存在してもよい。すなわち、「音声１」を選択した場合、１チャンネルから１０チャンネルが選択可能となり、「音声２」を選択した場合、１０チャンネルから１９チャンネルが選択可能となるように、「音声１」と「音声２」とで１０チャンネルが重複して選択できるようになっていてもよい。また、共通のチャンネルは、よく選択されるチャンネルであってもよい。
【００１９】
図４は、本実施形態の携帯型電子機器用選択装置を備えた、モバイル放送の受信のための携帯型電子機器の正面図を例示する。携帯型電子機器４００は、ロータリーエンコーダスイッチ４０１、選局用押しボタン４０２、４０３を有すると共に、本実施形態の携帯型電子機器用選択装置とは直接の関係が無い操作ボタン４０４、十字キー４０６、表示部４０５を有している。
【００２０】
ロータリーエンコーダスイッチ４０１は、図３の第１階層の選択肢の選択を行なうためのスイッチである。すなわち、携帯型電子機器４００により出力するメディアの種類を回転により選択する。メディアの種類が選択されると、次に、選局用押しボタン４０２、４０３により選局が行なわれる。例えば、選局用押しボタン４０２を押下することにより、次のチャンネルを選局し、選局用押しボタン４０３を押下することにより、前のチャンネルを選局する。例えば、現在選局されているチャンネルが４チャンネルであれば、選局用押しボタン４０２を押下することにより、５チャンネルが選局され、選局用押しボタン４０３を押下することにより、３チャンネルが選局される。
【００２１】
上記のように、音声のチャネルを６つのグループに分割することにより、平均して各グループ４回から５回の選局用押しボタンを押下すればよい。一方、音声のチャンネルを分割しなければ、平均して２７回から２８回の選局用押しボタンを押下しなければならなくなる。したがって、本実施形態により労力が削減されることになる。
【００２２】
なお、ロータリーエンコーダスイッチ４０１は、メディアの種類を選択することに限られず、携帯型電子機器の他の機能や動作モードをも選択することができるようになっていてもよい。例えば、図５に例示されるように、「カード」の表示がロータリーエンコーダスイッチになされ、選択可能になっていてもよい。「カード」を選択することにより、例えば、携帯型電子機器に装着されたメディアカードに記録されたコンテンツが表示されるようになっていてもよい。この場合でも、「カード」が選択された場合には、その後、９から１０程度の機能の選択ができるのが望ましい。
【００２３】
なお、図４において、選択肢の選択は、物理的に実在するスイッチを介して行なわれるようになっているが、例えば、表示部４０５に表示されるアイコン画像を用いて行なわれるようになっていてもよい。
【００２４】
（実施形態１：処理の流れ）
図６は、本実施形態に係る携帯型電子機器用選択装置の処理の流れを説明するフローチャートを例示する。本実施形態に係る携帯型電子機器用選択装置は、下位の階層の選択肢が定義されている選択肢（すなわち、上位の階層の選択肢）の選択が行なわれるたびに、図６のフローチャートを実行する。まず、上位の階層の選択肢を選択可能とする（ステップＳ６０１）。例えば、上位の階層の選択肢に対応するアイコン画像を表示する。次に、選択された選択肢を実行する（ステップＳ６０２）。これにより、選択された選択肢の下位の階層の選択肢が選択可能となる（ステップＳ６０３）。そして、選択された選択肢を実行する（ステップＳ６０４）。
【００２５】
（実施形態１：主な効果）
選択対象となる選択肢のさらに下の階層の選択肢がほぼ同数となるようにすることにより、どの選択肢を選択しても、下の階層の選択肢を選択するための操作をほぼ同じにすることができる。このため、最終的な選択を行なうまで、すなわち、最下位の選択肢を選択するまで、の操作に必要な手間を他の場合よりも少なくすることができる。この効果は、操作ボタンの配置に制約のある携帯型電子機器において顕著に現れる。
【００２６】
（実施形態２：主に請求項２、３、５に対応する）
本発明の実施形態２として、階層的な構造を有する選択肢の情報を保持し、いずれの選択肢を選択しても、選択に応じて表示されるべき下の階層のアイコンの数がほぼ同数となるように選択肢の情報を取得する携帯型電子機器用選択装置について説明する。
【００２７】
（実施形態２：構成）
図７は、本実施形態に係る携帯型電子機器用選択装置の機能ブロック図を例示する。携帯型電子機器用選択装置７００は、選択肢アイコン表示情報保持部７０１と、選択肢アイコン表示情報取得部７０２と、選択肢アイコン表示部７０３と、選択実行部７０４と、を有する。
【００２８】
「選択肢アイコン表示情報保持部」７０１は、階層的な属性構造を有する選択肢アイコン表示情報を保持する。「選択肢アイコン表示情報」とは、選択肢を表わすアイコンを表示するための情報である。この情報は、例えば半導体メモリなどに電子的な手段で保持されるようになっていてもよい。図８は、この場合の選択肢アイコン表示情報を、模式的に表わした図である。選択肢アイコン表示情報には、４つのフィールドがある。第一のフィールドは、上位階層を示す。図８では、第１階層となっている。これにより、図８に例示された選択肢アイコン表示情報の上位の階層が第１階層であることがわかる。第二のフィールドは、選択肢を表示するためのアイコン画像のファイル名を示す。図８では、ｂ７０５５．ｉｃｏというファイル名になっている。第三のフィールドは、選択肢が選択された場合のアクション（動作）を示す。図８では、ｆ．ｎｅｘｔｌａｙｅｒとなっており、次の階層、すなわち、下位の階層の選択肢を表示することを示している。第四フィールドは、下位階層を示す。図８では、第３階層になっている。なお、選択肢アイコン表示情報に基づいて表示されるアイコンは、電子的に表現されるものに限定されることはない。例えば、人間の五感で感じることができるような物理的な存在であってもよい。その例としては、図４のロータリーエンコーダスイッチ４０１に表示された「音声２」などがある。
【００２９】
「選択肢アイコン表示情報取得部」７０２は、インターフェース上に表示されているいずれの選択肢アイコンを選択した場合でも、選択に応じて表示されるべき下の階層に位置する選択肢アイコンの数どうしが、ほぼ同数となるように上の階層の選択肢アイコン表示情報を取得可能な部である。「インターフェース」とは、選択肢アイコン表示情報が表示される場所を表わす。例えば、タッチパネル方式で操作可能な液晶パネルがある。また、図４の「音声２」などの文字が印刷されているロータリーエンコーダスイッチの表面など、時間が経過しても変化しないものであってもよい。選択肢アイコン表示情報取得部７０２は、インターフェース上で、ある階層の選択肢が選択可能となっている場合、それぞれの選択肢の下位の階層に位置する選択肢の数がほぼ同数になるように、上位の階層の選択肢アイコン表示情報を取得することができる部である。このようなことを実現するためには、あらかじめ選択肢の階層構造を定めておき、どの階層の選択肢を選択しても、その下位の階層の選択肢の数がほぼ同数となるようにしておき、選択肢アイコン表示情報を取得するようにしてもよい。あるいは、選択肢アイコンが選択されるたびに、次に選択可能となる選択肢に対応する選択肢アイコン表示情報を動的に計算することによって取得するようになっていてもよい（計算の例については、後述する）。
【００３０】
「選択肢アイコン表示部」７０３は、選択肢アイコン表示情報取得部７０２で取得した選択肢アイコン表示情報を利用して選択肢アイコンをインターフェース上に表示する。「選択肢アイコン」とは、選択肢を表わすためのアイコンであり、電気的な表示手段によりアイコンが表示される場合には、選択肢アイコン表示情報に基づいて表示がされる。また、ここでいうインターフェースは、選択肢アイコン表示情報取得部７０２が選択肢アイコン表示情報を取得する原因となった選択肢アイコンが表示されたインターフェースと異なるものであってもよい。また、「表示」とは、今まで見えなかったものを見えるようにすることのみならず、今までに備わっていなかった新たな機能を付与することも含む。例えば、図４において、押しボタン４０２、４０３は、ロータリーエンコーダスイッチ４０１を回すことにより、それぞれのメディアのチャンネルを選択するという機能が付与される。このように、機能を付与することも「表示」という言葉として本明細書で使用することにする。
【００３１】
「選択実行部」７０４は、選択肢アイコン表示部７０３にて表示された選択肢アイコンを選択し実行するための部である。例えば、図８に例示された選択肢アイコン表示情報に基づく選択肢アイコンが示す選択肢が選択された場合には、アクションのフィールドに示されたアクションであるｆ．ｎｅｘｔｌａｙｅｒを実行する。また、選択肢アイコン表示部７０３にて、新たな機能が付与された場合には、その機能を発揮させることを行なう。
【００３２】
（実施形態２：処理）
図９は、携帯型電子機器用選択装置７００の選択肢アイコン表示情報取得部７０２が、次に選択可能となる選択肢に対応する選択肢アイコン表示情報を動的に計算することによって取得するときの処理の流れを説明するフローチャートを例示している。まず、現在表示すべき選択肢アイコンの階層の番号を求める（ステップＳ９０１）。「階層の番号」とは、例えば、図１に例示された第１階層、第２階層、第３階層、などの１、２、３、を指す。以後、現在表示すべき選択肢アイコンの階層を「現階層」ということにする。次に、現階層の選択肢アイコン表示情報の総数（以後、「Ｎ」という。）を求める（ステップＳ９０２）。例えば、現階層が図３の第１階層であれば、Ｎは８となる。次に、現階層の下位の選択肢アイコン表示情報の総数（以後、「Ｓ」という。）を求める（ステップＳ９０３）。例えば、現階層が図３の第１階層であれば、Ｓは７４となる。次に、現階層の選択肢アイコンそれぞれに、（Ｓ／Ｎ）個の下位の選択肢アイコン表示情報を関連づける（ステップＳ９０４）。ここに、「Ｓ／Ｎ」は、ＳをＮで割ったときの商であり、もし整数にならない場合には、小数点以下を切り捨てて得られる値である。現階層の選択肢アイコンそれぞれに下位の選択肢アイコン表示情報を関連づける方法は種々のものがある。例えば、選択肢アイコン表示情報に順序が定義されていれば、その順序に基づいて関連付けを行なう。例えば、現階層の最初の選択肢アイコン表示情報には、下位の選択肢アイコン表示情報の最初の（Ｓ／Ｎ）個を関連付け、現階層の２番目の選択肢アイコン表示情報には、下位の選択肢アイコン表示情報の（Ｓ／Ｎ＋１）番目から、｛２×（Ｓ／Ｎ）｝番目までを関連付ける。また、順序が定義されていなければ、例えば、ランダムに関連づけたり、あらかじめプログラムで定められた手続きによって関連づけてもよい。次に、現階層の選択肢アイコンのうち、｛Ｓ−（Ｓ／Ｎ）Ｎ｝個を選択し、それぞれに、残りの下位の選択肢アイコンを一個ずつ関連付ける（ステップＳ９０５）。なお、｛Ｓ−（Ｓ／Ｎ）Ｎ｝が０になるとき、すなわち、ＳがＮの倍数となっている場合には、ステップＳ９０５は実行する必要がない。また、現階層の選択肢アイコンのうち、｛Ｓ−（Ｓ／Ｎ）Ｎ｝個を選択する方法は任意であり、例えば、最初の選択肢アイコン表示情報を選択したり、ランダムに選択したりすればよい。このような処理を行なうことにより、現階層の選択肢アイコン表示情報のそれぞれに、ほぼ同数の下位の選択肢アイコン表示情報を関連付けることができる。結果として、いずれの選択肢アイコンを選択した場合でも、選択に応じて表示されるべき下の階層に位置する選択肢アイコンの数どうしを、ほぼ同数とすることができる。
【００３３】
図１０は、図９に例示された処理の具体的な例を示す。Ｎが３、Ｓが１３であるとする。すなわち、現階層の選択肢アイコン表示情報が、第１選択肢アイコン表示情報、第２選択肢アイコン表示情報、第３アイコン表示情報であるとする。（Ｓ／Ｎ）は４となるので、第１選択肢アイコン表示情報、第２選択肢アイコン表示情報、第３アイコン表示情報のそれぞれに４個の下位の階層の選択肢アイコン表示情報を関連づける。次に、｛Ｓ−（Ｓ／Ｎ）Ｎ｝は１であるので、例えば、第２選択肢アイコン表示情報を選択し、それに、残りの下位の階層の選択肢アイコン表示情報を関連付ける。
【００３４】
図１１は、本実施形態に係る携帯型電子機器用選択装置の処理の流れを説明するフローチャートである。まず、現階層の選択肢アイコン表示情報を取得する（ステップＳ１１０１）。このステップは、選択肢アイコン表示情報取得部７０２によって行なわれる。次に、現階層の選択肢アイコンを表示する（ステップＳ１１０２）。すなわち、選択肢アイコン表示情報に基づいて選択肢アイコンを表示する。このステップは、選択肢アイコン表示部７０３により行なわれる。次に、選択肢アイコンの選択を検出し、選択が検出された選択肢アイコンに関連付けられたアクションを実行する（ステップＳ１１０３）。なお、「選択肢アイコンに関連付けられたアクション」とは、選択肢アイコンに対応する選択肢アイコン表示情報が示すアクションである。もし、その選択肢アイコンが下位の階層の選択肢アイコン表示情報に基づいて選択肢アイコンを表示するアクションに関連付けられていれば、現階層をその下位の階層としてステップＳ１１０１から再び処理を行なう。
【００３５】
（実施形態２：主な効果）
インターフェース上に表示されているいずれの選択肢アイコンを選択した場合でも、選択に応じて表示されるべき下の階層に位置する選択肢アイコンの数どうしが、ほぼ同数となるようになっているので、実施形態１と同様に、最終的な選択を行なうまで、すなわち、最下位の選択肢を選択するまで、の操作に必要な手間を他の場合よりも少なくすることができる。また、選択肢アイコン表示情報取得部が、選択肢アイコンが選択されるたびに、次に選択可能となる選択肢に対応する選択肢アイコン表示情報を動的に計算するときには、次の実施形態で述べるように、選択肢アイコン表示情報の追加や変更が可能となる。
【００３６】
（実施形態３：主に請求項４に対応する）
本発明の実施形態３として、選択肢アイコン表示情報の追加又は／及び削除が可能な携帯型電子機器用選択装置について説明する。
【００３７】
（実施形態３：構成）
本実施形態に係る携帯型電子機器用選択装置は、実施形態２に係る携帯型電子機器用選択装置が選択肢アイコン表示情報管理部を有する構成となっている。
【００３８】
「選択肢アイコン表示情報管理部」は、選択肢アイコン表示情報保持部７０１に保持されている選択肢アイコン表示情報を追加又は／及び削除することが可能な部である。例えば、ユーザーインターフェースを備え、そこに選択肢アイコン情報の一覧が表示され、不要な選択肢アイコン表示情報を選択し削除するようになっている。また、選択肢アイコン表示情報を生成するためのデータの入力画面がそのユーザーインターフェースに備えられていてもよい。その入力画面には、例えば、図８に例示された選択肢アイコン表示情報の第一のフィールドから第四のフィールドについての入力エリアが備えられている。
【００３９】
（実施形態３：主な効果）
本実施形態により、不要な選択肢アイコン表示情報が削除できたり、必要な選択肢アイコン表示情報が追加することができたりするので、使わない機能を選択できないようにして、必要な機能の選択をより少ない手間で選択できるようにしたり、選択できる機能を追加することが可能となる。
【産業上の利用可能性】
【００４０】
本発明に係る携帯型電子機器用選択装置は、操作ボタンの配置の数に制限のある携帯型電子機器であっても、機能の選択についての労力を少なくすることができ、産業上有用である。
【図面の簡単な説明】
【００４１】
【図１】階層的な属性構造を有する選択肢が構成する木構造の一例図
【図２】実施形態１に係る携帯型電子機器用選択装置の機能ブロック図
【図３】実施形態１をモバイル放送の選局に適用した場合の選択肢が構成する木構造の一例図
【図４】実施形態１に係る携帯型電子機器用選択装置を備えた携帯型電子機器の正面図
【図５】ロータリーエンコーダスイッチの正面図
【図６】実施形態１に係る携帯型電子機器用選択装置の処理のフローチャート
【図７】実施形態２に係る携帯型電子機器用選択装置の機能ブロック図
【図８】選択肢アイコン表示情報の模式図
【図９】選択肢アイコン表示情報取得部７０２の処理のフローチャート
【図１０】図９の処理の過程の一例図
【図１１】実施形態２に係る携帯型電子機器用選択装置の処理のフローチャート
【図１２】従来の携帯型電子機器の正面図
【図１３】従来の携帯型電子機器の正面図
【符号の説明】
【００４２】
２００  携帯型電子機器用選択装置
２０１  ワンアクション選択実行部
７００  携帯型電子機器用選択装置
７０１  選択肢アイコン表示情報保持部
７０２  選択肢アイコン表示情報取得部
７０３  選択肢アイコン表示部
７０４  選択実行部
【図１】
2006048576.tif 000003
【図２】
2006048576.tif 000004
【図３】
2006048576.tif 000005
【図４】
2006048576.tif 000006
【図５】
2006048576.tif 000007
【図６】
2006048576.tif 000008
【図７】
2006048576.tif 000009
【図８】
2006048576.tif 000010
【図９】
2006048576.tif 000011
【図１０】
2006048576.tif 000012
【図１１】
2006048576.tif 000013
【図１２】
2006048576.tif 000014
【図１３】
2006048576.tif 000015